(57)【要約】通信システム１００の信号パワーレベルを制御するための新規かつ改良された方法および装置は、それぞれ干渉消去の前および後に、受信された信号の干渉比率に対する第１および第２の信号を決定し、干渉比率に対する第１および第２の信号間の差を決定し、差に基づいて、受信された信号のソースから送信された信号のパワーレベルを制御するための信号対干渉の閾値を決定することにより提供される。
2004514318.tif 000002
【特許請求の範囲】
【請求項１】
通信システムにおいて、
受信された信号に干渉消去処理を実行し、
前記干渉消去の実行の前後にそれぞれ前記受信された信号の第１および第２の信号対干渉比率を決定し、
前記第１および第２の信号対干渉比率間の差を決定し、
前記差に基づいて、前記受信された信号のソースから送信された信号のパワーレベルを制御するための信号対干渉の閾値を決定することを含む方法。
【請求項２】
前記受信された信号のフレーム誤り率を決定することをさらに含み、
ここに、前記信号対干渉の閾値の決定は前記差および前記フレーム誤り率に基づいている請求項１による方法。
【請求項３】
データのデコードされたフレームを生成するため前記受信された信号をデコードし、
データの前記デコードされたフレームのための周期冗長検査を実行することをさらに含み、
ここに、前記消去処理を実行することは前記周期冗長検査が通るか否かに基づいている請求項１による方法。
【請求項４】
前記ソースから送信された前記信号のパワーレベルをパワーアップまたはパワーダウンするために受信された信号の前記ソースに命令することをさらに含む請求項１による方法。
【請求項５】
通信システムにおいて、
第１の信号を受信し、
前記第１受信信号に干渉消去の処理を実行し、
それぞれ前記干渉消去の実行の前後に、前記第１の受信信号の第１および第２の信号対干渉比率を決定し、
前記第１および第２の信号対干渉比率の差を決定し、
前記差に基づいて、信号のパワーレベルを制御するために信号対干渉の閾値を決定し、
第２の信号を受信し、
前記第２の受信信号の信号対干渉を測定し、
前記第２の受信信号の前記信号対干渉を前記信号対干渉の閾値と比較し、
前記比較に基づいて前記信号のパワーレベルをパワーアップまたはダウンするように前記信号のソースに命令することを含む方法。
【請求項６】
前記第１の受信信号のフレーム誤り率を決定することをさらに含み、
ここに、前記信号対干渉の閾値を決定することが前記フレーム誤り率の差に基づいている請求項５による方法。
【請求項７】
データのデコードされたフレームを生成するために前記第１の受信信号をデコードし、
データの前記デコードされたフレームのための周期冗長検査を実行することをさらに含み、
ここに、前記消去処理を実行することは前記周期冗長検査が通るか否かに基づいている請求項５による方法。
【請求項８】
通信システムにおいて、
信号を受信するための受信器と、
受信された信号の干渉消去を実行する信号プロセッサと、
それぞれ前記干渉消去の実行の前後に、第１および第２の信号対干渉比率間の差を生成するように、前記受信信号の第１および第２の信号対干渉比率を決定する相関器と、
前記受信信号のソースから送信された信号のパワーレベルを制御するために前記差に基づいた信号対干渉の閾値を決定するコントローラとを含む装置。
【請求項９】
前記受信信号のフレーム誤り率を決定するデコーダをさらに含み、
前記コントローラが前記差と前記フレーム誤り率に基づいて前記信号対干渉の閾値を決定する請求項８による装置。
【請求項１０】
データのデコードされたフレームを生成するため前記受信信号をデコードするデコーダをさらに含み、
前記コントローラはさらにデータの前記デコードされたフレームの周期冗長検査を実行し、
前記信号プロセッサはさらに前記周期冗長検査が通ったか否かに基づいて前記消去処理を実行する請求項８による装置。
【請求項１１】
前記受信器とともに作動する送信器をさらに含み、前記送信器が前記受信器のための目標とされる信号の送信パワーレベルをパワーアップまたはダウンするため前記受信信号のソースに命令する請求項８による装置。
【請求項１２】
前記干渉消去の前後に前記受信信号のサンプルを格納するためのメモリユニットをさらに含む請求項８による装置。
【発明の詳細な説明】
【０００１】
分野
開示された実施例は通信の分野に関連する。なお特に、開示された実施例は干渉を抑えるための信号パワーレベル、および受信器において信号干渉を打ち消すための効率的な信号処理の制御に関連する。
【０００２】
背景
符号分割多重接続（ＣＤＭＡ）通信システムは何年間も商業的に稼働中である。ＣＤＭＡ通信システムでは、同じ地理的な領域の多くのユーザが、共通の搬送周波数で作動するように選択されるかもしれない。各ユーザからの信号は唯一割り当てられたコードに従ってコード化される。共通の搬送周波数でユーザから信号を受信する受信器は割り当てられたコードに従って各信号をデコードする。信号がデコードされている間、他のすべてのユーザから送信される信号は干渉として扱われるかもしれない。干渉レベルを制御するためにＣＤＭＡシステムを作動させるための基本的な原則の１つは、システムの異なるユーザによって送信される信号のパワーレベルを制御する方法および装置に基づく。ＣＤＭＡシステムの信号のパワーレベルを制御するために、バッテリーパワーを保存するような他の理由は、関連技術で普通の技能者によりよく知られている。
【０００３】
一般に、干渉の影響に反抗するために、ユーザはその信号パワーレベル、または通信データレート、あるいは両方を増加させるかもしれない。より多くのユーザが信号パワーレベルか通信データレートを増加させるので、他のユーザによって経験される干渉のレベルも増加する。したがって、各ユーザによって送信される各信号のパワーレベルを制御する必要があり、それにより各ユーザによって経験される干渉レベルは最小にされる。その上、受信器において信号干渉を打ち消すための効率的な信号処理の必要がある。
【０００４】
概要
通信システムにおける信号パワーレベルを制御する新規かつ改良された方法および装置は、それぞれ干渉消去の前および後に、受信された信号の第１および第２の信号対干渉比率を決定し、第１および第２の信号対干渉比率間の差を決定し、差に基づいて、受信された信号のソースから送信される信号のパワーレベルを制御するための信号対干渉の閾値を決定することにより提供される。
【０００５】
開示された実施例の特徴、目的、および利点は、同様な参照符号が通して対応的に同一視される図面と関連して取られた以下に示された詳細な記述からより明らかになるであろう。
【０００６】
好ましい実施例の詳細な記述
図１は符号分割多重接続通信システム標準の何れかに従って作動できる通信システム１００の一般的なブロックダイアグラムを示す。そのような標準はＴＩＡ／ＥＩＡ−ＩＳ−９５標準、ＴＩＡ／ＥＩＡ−ＩＳ−２０００標準、ＩＭＴ−２０００標準、およびＷＣＤＭＡ標準を含み、すべてここに引用文献として組み込まれる。標準のコピーはアドレスｈｔｔｐ：／／ｗｗｗ． ｃｄｇ． ｏｒｇ、で全世界ウェブにアクセスすることによって、或はアメリカ合衆国、２５００ Ｗｉｌｓｏｎ Ｂｏｕｌｅｖａｒｄ，Ａｒｌｉｎｇｔｏｎ，ＶＡ ２２２０１、ＴＩＡ，Ｓｔａｎｄａｒｄｓ ａｎｄ Ｔｅｃｈｎｏｌｏｇｙ Ｄｅｐａｒｔｍｅｎｔに手紙を書くことにより得られる。一般に、通信システム１００は移動局１０２−１０４などの多くの移動局の間、および移動局１０２−１０４と有線ネットワーク１０５の間に通信リンクを提供する基地局（ＢＳ）１０１を含む。ＢＳ １０１は移動局コントローラ、基地局コントローラ、および無線周波数トランシーバーなどの多くのコンポーネントを含むかもしれない。また、ＢＳ １０１は他の基地局（簡単さのために、示されない）との通信にあるかもしれない。ＢＳ １０１は順方向リンクを通してそれぞれの移動局（ＭＳ）と通信する。順方向リンクはＢＳ １０１から送信される順方向リンク信号１０６によって維持される。いくつかの移動局１０２−１０４のための目標とされる信号は信号１０６を形成するために合計されるかもしれない。信号１０６を受信するそれぞれのＭＳ １０２−１０４は、受信された信号１０６をデコードし、受信ＭＳ １０２−１０４のユーザのために目標とされる情報を抽出する。各受信ＭＳ １０２−１０４は、他の受信移動局の目標とされる受信信号の部分を干渉として処理するかもしれない。各ＭＳ１０２−１０４は、それぞれＭＳ １０２−１０４に関する逆方向リンク信号１０７−１０９のような逆方向リンク信号を通してＢＳ １０１と通信する。
【０００７】
また、ＢＳ１０１はすべての移動局へ順方向リンクを通してパイロットチャンネルのデータビットの事前に定義されたシリーズを送信し、順方向リンク信号１０６をデコードすることにおいて各移動局を援助するかもしれない。各ＭＳはパイロットチャンネルをＢＳ１０１に送信するかもしれない。ＭＳから送られるパイロットチャンネルは、ＭＳから送信される逆方向リンク信号によって運ばれる情報をデコードするのに使用されるかもしれない。パイロットチャンネルの使用と作動はよく知られている。順方向および逆方向リンクを通して通信するための送信器と受信器は各移動局１０２−１０４とＢＳ １０１に含まれている。
【０００８】
一実施例によると、図２はＢＳ１０１と移動局１０２−１０４で使用するための送信器２００の一般的なブロックダイアグラムを示す。送信器２００はＩＳ−２０００標準に従って作動するＣＤＭＡシステムで使用されるかもしれない。チャンネルデータビットは、コード化されたチャンネルデータ符号を生成するためにチャンネルエンコーダ２０１に入力される。チャンネルエンコーダ２０１での機能は、フレーム品質ビットを加えること、畳込みおよび／又はターボコード化を実行することを含むかもしれない。１ブロックのデータが各時間のフレームで送信される。コード化レートは１／２、１／４、または他の任意のコード化レートであるかもしれない。コード化の後に、データ符号のＲ数がコード化されたデータビット毎に生成される。結果として、データのブロックのＲ数はエンコーダ２０１の入力ですべてのデータのブロックのために生成される。レート１／２でのコード化の場合に、データの２つのブロックが各入力ブロックのためにエンコーダ２０１の出力で生成される。エンコーダ２０１はインターリービング機能のためブロックインターリーバ ２０２へチャンネルコード化符号を渡す。ブロックインターリーバ２０２はＲＡＭブロック（示されない）にデータを書込む間に、インターリービング機能に従ってデータの各ブロックにデータ符号の位置を再配列し、ＲＡＭブロックからデータの再配列されたブロックを出力する。インターリーブされたデータ符号は、各チャンネルのデータ符号が長いコードマスクでスクランブルされる長いコードスクランブリング／変調器ブロック２０３に入力される。長いコードマスクは各ユーザに割当てられる。また、パワー制御符号パンクチャリングのような他の機能が、長いコードスクランブリング／変調器ブロック２０３で行われるかもしれない。それぞれのパワー制御符号は、ユーザがその逆方向リンク信号のパワーレベルを増加するか、または減少するように命令する。デマルチプレクサ２０４は長いコードスクランブリング／変調器ブロック２０３の出力をデマルチプレックスし、ウォルシュカバーとＢＰＳＫまたはＱＰＳＫ ＰＮ拡散のために同位相データ符号２１１と直角位相データ符号２１２を生成する。ＱＰＳＫ ＰＮ拡散が使用されるかもしれないので、２つのデータ符号がデマルチプレクサ２０４から同時に出力されるかもしれない。ウォルシュカバー／拡散ブロック２０５は、後の増幅とアンテナシステム（示されない）からの送信のため入力データ符号を変調しかつ拡散する。
【０００９】
図３は一実施例によるウォルシュカバー／拡散ブロック２０５のブロックダイアグラムを示す。示されるようにブロック２０５の動作は、ウォルシュカバー演算、移動局のために目標とされる順方向リンク信号を合計する合計演算、基本帯域フィルタリング動作、およびＢＳ １０１からカバー領域にある移動局へ増幅および送信のために信号３１３を生成するキャリヤー変調動作を含む。また、ブロック２０５は逆方向リンク信号の送信のため移動局によって使用されるかもしれない。ブロック２０５は構成の多様性でより多いまたはより少ない動作を含むかもしれない。通常、ウォルシュコードはそれぞれの順方向および逆方向リンクで各チャンネルに割当てられる。長いコードのスクランブリングの後に、結果として起こるＩおよびＱ信号２１１、２１２がウォルシュカバー演算を通過する。チャンネルのためのウォルシュカバー演算はウォルシュカバーブロック３１０で示される。ブロック３１０におけるウォルシュカバー演算は、割り当てられたウォルシュ関数により入力ＩおよびＱ信号２１１、２１２を乗算し、ウォルシュカバーされたＩおよびＱ信号３０６、３０７を生成することを含んでいる。
【００１０】
順方向リンク信号はそれぞれ移動局のために目標とされるいくつかの信号の結合した信号であるかもしれない。順方向リンク信号を形成するために結合されるべき他の信号があるならば、それぞれのウォルシュコードでウォルシュカバーされた後、ウォルシュカバーブロック３１０におけるウォルシュカバー演算と同様に、他のチャンネルのＩおよびＱ信号３４１、３４２は合計ブロック３４３と３４４に入力される。ウォルシュカバー演算の前に、Ｉ信号３４１とＱ信号は、Ｉ 信号２１１およびＱ 信号２１２で示され演算と同様に、３４２コード化、ブロックインターリービング演算、および長いコードスクランブリング演算を通過される。ウォルシュカバー演算の後に、Ｉ信号３０６および３４１は合計ブロック３４３で合計され、Ｑ信号３０７および３４２は合計ブロック３４４で合計される。結果は結合されたＩ−信号３４５および結合されたＱ−信号３４６である。合計器３４３と３４４で合計する信号がないとき、信号３０６と３０７は信号３４５と３４６として通過する。
【００１１】
ブロック２０５における次の動作は、ＰＮＩ系列３４７とＰＮＱ系列３４８を通して複素乗法演算３７０を含んでいる。ＰＮＩとＰＮＱ系列３４７および３４８は、ＩとＱ チャネルＰＮ系列である。信号３４５と３４６はＰＮＩとＰＮＱ系列３４７および３４８によって複素乗算される。複素乗算３７０の演算は信号３４５と３４６を拡散しＩおよびＱ信号３７１と３７２を生成することを許容する。基本帯域フィルタ３７３と３７４はＩおよびＱ信号３７１と３７２を濾波するために使用されるかもしれない。濾波の後にＩおよびＱ信号３７１と３７２をキャリヤー変調するために乗算器３７５と３７６が使用される。結果として生じる信号は、結合した信号３１３を生成するために結合器 ３７７で結合される。信号３１３はアンテナシステム（示されない）から送信のために増幅されるかもしれない。
【００１２】
図４はＣＤＭＡ信号を処理するために使用される受信器４００のブロックダイアグラムを示す。受信器４００は受信された信号によって搬送された情報を抽出するために受信された信号を復調する。受信（Ｒｘ）サンプルはＲＡＭ４０４に格納される。受信サンプルは無線周波数／中間周波数（ＲＦ／ＩＦ）システム４９０とアンテナシステム４９２により発生される。アンテナシステム４９２はＲＦ信号を受信して、ＲＦ信号をＲＦ／ＩＦシステム４９０に通す。ＲＦ／ＩＦシステム４９０は任意の従来のＲＦ／ＩＦ受信器であるかもしれない。受信されたＲＦ信号はフィルタにかけられ、下方変換され、一実施例によると基本帯域周波数でＲＸサンプルを形成するためデジタル化される。サンプルはデマルチプレクサ（ｄｅｍｕｘ）４０２に供給される。ｄｅｍｕｘ ４０２の出力は探索器ユニット４０６、およびフィンガー要素４０８に供給される。制御装置４１０はそれらに接続される。結合器 ４１２はデコーダ４１４をフィンガー要素４０８に結合する。一実施例では、制御装置４１０はソフトウェアによって制御されるマイクロプロセッサであり、同じ集積回路の上、または別々の集積回路の上に位置するかもしれない。
【００１３】
動作の間、受信されたサンプルはｄｅｍｕｘ ４０２に適用される。Ｄｅｍｕｘ ４０２はサンプルを探索器ユニット４０６、およびフィンガー要素４０８に供給する。制御装置４１０は、探索器ユニット４０６からの探索結果に基づいて異なる時間オフセットで受信された信号の復調を実行するためにフィンガー要素４０８を形成する。復調の結果は結合され、デコーダ４１４に渡される。デコーダ４１４はデータをデコードして、デコードされたデータを出力する。
【００１４】
一般に、探索のために、探索器４０６は様々な送信ソースと多パスに対応するタイミング仮定と位相オフセットを試験するためにパイロットチャンネルの非コヒーレント復調を使用する。フィンガー要素４０８によって実行される復調は、制御とトラヒックチャンネルなどの他のチャンネルのコヒーレント復調を通して実行される。探索器４０６によって抽出された情報は他のチャンネルの復調のためにフィンガー要素４０８で使用される。探索器４０６とフィンガー要素４０８は、パイロットチャンネル探索と制御およびトラヒックチャンネルの復調との両方を提供するかもしれない。復調と探索は様々な時間オフセットで実行することができる。復調の結果は各チャンネルに関するデータをデコードする前に、結合器 ４１２で結合されるかもしれない。チャンネルの逆拡散は、ＰＮ系列の複素共役および単一タイミング仮定で割り当てられたウォルシュ関数で受信されたサンプルを乗算し、結果として生じるサンプルを、しばしば積分およびダンプ累算器回路（示されない）でデジタル的に濾波することにより実行される。そのようなテクニックは技術で一般的に知られている。受信器４００はそれぞれ逆および順方向信号の情報をデコードするためにＢＳ１０１と移動局１０２−１０４で使用されるかもしれない。ＢＳ １０１は、同時にいくつかの移動局から送信された情報をデコードするために数個の受信器４００を使うかもしれない。
【００１５】
図５はチャンネルデータビットをコード化するターボチャンネルエンコーダ２０１で使用されるかもしれない例示的ターボエンコーダ５００のブロックダイアグラムを示す。ターボエンコーダ５００は第１および第２のエンコーダブロック５０１と５０２、およびインターリーバブロック５０３を含んでいる。データ符号Ｘｉはエンコーダ５０１の入力５１０でターボコーダ５００に入力される。エンコーダ５０１は畳込みコード化演算に従ったコード化の後にデータ符号Ｙｉを生成する。畳込みコード化演算は畳み込み符号伝達関数に従ってコード化することを含むかもしれない。そのような関数は伝達関数Ｆ（Ｄ）＝（１＋Ｄ＋Ｄ＊＊２）／（１＋Ｄ）によって定義されるかもしれず、ここにＤは遅延ステップを表し、プラス符号（＋）は排他的ＯＲ演算を表す。そのような関数の実現は関連技術において普通の技能の者によりよく知られている。コード化ブロック５０２はデータ符号Ｗｉを出力する。データ符号Ｘｉはインターリービング演算のためインターリーバ ５０３に入力され、データ符号Ｚｉを生成する。インターリーバ ５０３でのインターリービング演算は知られているインターリーバ演算のいずれかに従ってもよい。データ符号Ｚｉはインターリービングマッピング関数に従った順序で再配列されたデータ符号Ｘｉから成る。エンコーダ５０２はデータ符号Ｚｉをコード化し、エンコーダ５０２で使用したコード化関数に従ったデータ符号Ｗｉを出力する。エンコーダ５０１と５０２で使用されるコード化関数は同じでもよく、または異なっていてもよい。
【００１６】
データ符号Ｘｉ、ＹｉおよびＷｉはパンクチャリングブロック５２０に通される。パンクチャリングブロック５２０は、入力５１０でデータ符号Ｘｉを受け、入力５１１でエンコーダ５０１で生成したデータ符号Ｙｉを受け、入力５１２でエンコーダ５０２によって生成されたデータ符号Ｗｉを受ける。パンクチャリングブロック５２０はパンクチャリングパターンにしたがって、データ符号Ｘｉ、Ｙｉ、およびＷｉからデータ符号を選択する。選択されたデータ符号はデータブロックインターリービング演算のためにブロックインターリーバ ２０２に通過される。そのようにして、送信されたデータ符号は主にデータ符号Ｘｉ、ＹｉおよびＷｉから成る。
【００１７】
データ符号Ｘｉ、ＹｉおよびＷｉの送信は信号処理、適切な周波数への上方変換および信号増幅を含むかもしれない。そのような送信器は技術で普通の技能の者によりよく知られている。送信の全体のプロセス、伝播および目的地受信器による受信はデータ符号Ｘｉ、ＹｉおよびＷｉに雑音と干渉を加えることを含むかもしれない。受信器４００のデコーダ４１４はデータ符号Ｘｉ、ＹｉおよびＷｉの雑音バージョンを受ける。
【００１８】
図６はデータ符号Ｘｉの推定値を生成するためにデータ符号Ｘｉ、ＹｉおよびＷｉをデコードする通常のターボデコーダ６００のブロックダイアグラムを示す。デコーダ６００は受信器４００のデコーダブロック４１４で使用されるかもしれない。データ符号Ｘｉ、ＹｉおよびＷｉは、入力６４２でデコーダブロック６０１に転送するためにデータ符号ＸｉとＹｉを選択するように作動するデータ符号選択ブロック６２０を通る。データ符号Ｘｉはデータ符号Ｚｉを局所的に再生するように内部的にインターリーバ ６９９を通る。データ符号ＺｉとＷｉは入力６４０でデコーダブロック６０２に通される。デコーダ６０１はエンコーダブロック５０１で使用されたコード化関数に従ってデータ符号ＸｉとＹｉをデコードする。デコーダ６０１は出力６５０にデータ符号Ｘｉの推定値を生成する。デコーダ６０２はエンコーダブロック５０２で使用されたコード化関数に従ってデータ符号ＺｉとＷｉをデコードする。デコーダ６０２はデータ符号Ｚｉの推定値を出力６６０に生成する。
【００１９】
データ符号Ｘｉの推定値のための信頼レベルを増加させるために、出力６５０のデータ符号Ｘｉの推定値はデコーダ６０２の入力６３２でデータ符号Ｚｉの推定値を生成するようにインターリーバ６３０を通される。デコーダ６０２は入力６４０のデータ符号の推定値とともに入力６３２のデータ符号Ｚｉの推定値を使用して、データ符号Ｚｉの新しい推定値を出力６６０に生成する。出力６６０におけるデータ符号Ｚｉの推定値は、ターボエンコーダ５００でのインターリーバ ５３０のインターリービング関数の処理を逆にするため、逆−インターリーバ６３１に通され、入力６４１にデータ符号Ｘｉの推定値を生成する。入力６４１におけるデータ符号Ｘｉの推定値は、入力６４２のデータ符号の推定値と共に使用され、出力６５０にデータ符号Ｘｉの推定値を生成する。処理はデータ符号Ｘｉの推定値の信頼が許容レベルに達するまで繰り返されるかもしれない。ターボデコード処理が完成するいくつかの段階をとるとき、入力６４１は１つの段階から次の段階へデータ符号Ｘｉの推定値を入力するために使用されているかもしれない。前の段階からのデータ符号Ｘｉの推定値は次の段階のデコード処理を改良する助けになるかもしれない。
【００２０】
図７は一実施例による受信器４００などのような受信器で干渉消去のための動作フローチャート７００を示す。受信されたサンプルはＲＡＭ４０４から読み出された後に、移動局から受信された各信号のための相関ステップ７０１で相関関係の処理に通される。相関関係の処理は探索器４０６、フィンガー要素４０８、および結合器 ４１２の動作としてまとめて記述される。受信されたサンプルが１つ以上の移動局から送信された信号（例えば、Ｍ個の移動局からのＭ個の信号）からのサンプルを含んでいるので、相関関係の処理は信号１−Ｍについて相関ステップ７０１でそれぞれの受信された信号のために繰り返されるかもしれない。各受信された信号のための相関関係の処理は、各信号が探索器４０６、フィンガー要素４０８、および結合器 ４１２の動作のために見出されたパラメタのような異なる相関関係パラメタを必要とするので、唯一であるかもしれない。各信号はトラヒックチャンネルとパイロットチャンネルを含むかもしれない。各信号によって運ばれるトラヒックチャンネルとパイロットチャンネルに割当てられるＰＮ系列は異なっているかもしれない。相関関係の処理は、パイロットチャンネルと相関する結果に基づくチャンネルフェディング特性を推定することを含むチャンネル推定値を含むかもしれない。チャンネル推定値情報は、トラヒックチャンネルと相関するために使用される。そして、それぞれのトラヒックチャンネルはデコードされる。
【００２１】
それぞれの相関関係の処理の結果はデコードステップ７０２を通る。デコーダ４１４はデコードステップを実行する。送信されたチャンネルが畳込みコード化処理を通してコード化されるならば、デコードステップ４１４は利用された畳み込み符号によって実行される。送信されたチャンネルがターボコード化処理を通してコード化されるなら、デコードステップ４１４は利用されたターボコードによって実行される。デコーダ６００に示されるターボデコード演算はデコーダ４１４で使用される。したがって、各信号は、経路指示器がそれぞれのデータの送信されたフレームと関連する各周期冗長検査（ＣＲＣ）のために生成されるかどうかに関する十分な情報を提供するためにデコードされる。通信システムにおけるＣＲＣの動作と使用はよく知られている。
【００２２】
ＣＲＣチェックは干渉消去の一時的な決定部分である。ＣＲＣが通されるなら、通されたＣＲＣに関連づけられるチャンネルのデコードされた結果は、再コード化および再拡散されたサンプルを生成するためにステップ７０３で再コード化および再拡散される。例えば、デコードされたチャンネルがユーザに関連づけられるトラヒックチャンネルであるならば、トラヒックチャンネルを送信するためにユーザによって使用された同じＰＮ符号が再拡散の過程で使われる。同様に、チャンネルを送信するために使用された同じコード化過程が再コード化過程で使われる。再コード化と再拡散の過程は、各チャンネルのためのチャンネル推定値を決定することを含むかもしれない。各チャンネルのチャンネル推定値は関連するパイロットチャンネルフェーディング特性に基づいて決定される。それぞれのトラヒックチャンネルのために決定されたチャンネル推定値の結果は、消去の過程のＲＸサンプルを形成するために再拡散と再コード化の過程で使用される。各チャンネルが再コード化および再拡散された後、チャンネル推定値の結果が再コード化および再拡散されたトラヒックチャンネル信号により乗算される。そして、結果はステップ７０５で消去の過程に使用される。このような再コード化と再拡散はディジタル信号プロセッサかソフトウェアで制御されたマイクロプロセッサによって実行されるかもしれない。
【００２３】
元のサンプルはメモリからステップ７０４で読み出されるかもしれない。再コード化および再拡散されたサンプルは、消去の過程のためそれらを使用する前に、関連するパイロットチャンネルをデコードすることの結果として生成されたチャンネル推定値パラメタによりステップ７０５で乗算される。ステップ７０５において、チャンネル変更された再コード化および再拡散されたサンプルは受信されたサンプルから引算される。ＲＡＭ４０４は処理が完了するまで結果として起こるサンプルを格納するかもしれない。結果は相関ステップ７０６に通される。信号１からＭの相関関係の処理はステップ７０５で生成されたサンプルのためにステップ７０６で繰り返される。相関ステップ７０６の結果はデコードステップ７０７でデコードされる。ステップ７０５で実行された消去の過程のために、この点におけるデコードステップ７０７の結果はデコードステップ７０２の結果より誤りが少ない。処理はステップ７０７でデコードされた結果のＣＲＣをチェックすることにより、およびステップ７０５で実行された処理と同様なサンプルの一層の消去を実行することにより繰り返される。そのような反復処理は望まれるなら何回も繰り返されるかもしれない。各消去の後に、結果として起こる受信されたサンプルはメモリに格納される。他の消去ステップが必要になるならば、新たに格納されたサンプルが使用される。
【００２４】
ターボエンコーダがシステムで使用されるならば、ステップ７０２と７０７でのデコード処理は、図６で示される例示的実施例のように、ターボデコード処理に従っている必要がある。ターボデコード処理は反復処理を含むかもしれない。また、１ステップで決定されるＸｉの推定値は、データ符号Ｘｉをデコードする次の反復ステップにフィードバックとして使用されるかもしれない。説明されたような反復処理はデータ符号Ｘｉの真の推定値と関連する信頼レベルを改良する。そのようにして、ターボデコード処理に従ってステップ７０２でデコードする場合、デコードステップ７０２からもたらされる推定結果は、ステップ７０７でデコード処理を改良するためにデコードステップ７０７で使用されるかもしれない。例えば、ステップ７０２で異なるチャンネル（“ＡないしＱ”として示される）と関連するデータ符号Ｘｉの推定値がデコードステップ７０７で入力される。例えば、第１チャンネル（“Ａ”として示される）に関連づけられるデータ符号Ｘｉは同じチャンネルと関連するデコードステップ７０７で使用される。
【００２５】
再コード化と再拡散の処理は、少なくとも１つの消去ステップがあったならば、チャンネルパラメタを再推定することを含むかもしれない。そのようなパラメタは、パイロットチャンネルに関連づけられたフェーディングパラメタを含んでいる。各消去処理の後、チャンネルは各ユーザに関連づけられた各パイロットチャンネルのために再推定される。同じユーザのためのチャンネル推定パラメタは、ＲＸサンプルからのサンプルの消去により各消去ステップの後に異なるかもしれない。そのとき、次の消去処理のために再拡散と再コード化された信号を再構成するために再推定チャンネルが使用される。このようなチャンネル再推定と再コード化および再拡散サンプル発生のためのその使用は、異なる段階における各消去処理の正確なサンプルを提供するために必要であるかもしれない。結果として、消去ステップのために使用され、および消去処理により生成されたサンプルはより正確である。消去処理が受信されたサンプルから振幅と位相の不正確な消去を伴うとき、後者の段階でのデコードの処理は低下されるかもしれない。そのように、各消去処理のために使用されるサンプルは、ともに共通のユーザと関連するトラヒックおよびパイロットチャンネルを形成している信号の正確に複製されたサンプルでなければならないかもしれない。
【００２６】
ＢＳ１０１によって受信された信号は受信器４００に入力されるかもしれない。アンテナシステム４９２とＲＦ／ＩＦシステム４９０は移動局からの信号を受信して受信された信号のサンプルを生成する。受信されたサンプルはＲＡＭ４０４に格納されるかもしれない。受信器４００は、７０１および７０６の相関ステップと異なる移動局から受信されたすべての信号のための７０２と７０７のデコードステップを同時に実行するため、多くの探索器４０６、多くのフィンガー要素４０８、多くの結合器４１２、および多くのデコーダ４１４を組み込むかもしれない。しかし、１つのアンテナシステム４９２とＲＦ／ＩＦシステム４９０のみが必要であるかもしれない。送信された信号が送信器でターボコード化処理を通過させられるなら、デコーダ４１４によって実行されるデコードステップ７０２と７０７は図６で示されたターボデコーダ６００の動作に従うかもしれない。
【００２７】
一般に通信システム１００において、ＲＦ／ＩＦシステム４９０はコード化されかつスペクトル拡散された受信信号を受信されたサンプルに変換する。受信されたサンプルはＲＡＭ４０４に格納されるかもしれない。フィンガー要素４０８と組み合わせた探索器４０６はパイロット信号サンプルの第１のセットに基づいた第１のチャンネル推定値を決定する。パイロット信号サンプルの第１のセットは受信されたサンプルに含まれている。フィンガー要素４０８、結合器 ４１２、およびデコーダ４１４は、第１のチャンネル推定値に従って受信されたサンプルを相関させかつデコードして、デコードされた受信されたサンプルを生成する。ＲＡＭ４０４のような他のブロックと結合しているコントローラ４１０は、デコードされた受信されたサンプルを再コード化および再拡散して、再コード化されかつ再拡散されたサンプルを生成する。その上、コントローラ４１０は、第１のチャンネル推定値に基づく再コード化されかつ再拡散されたサンプルを変更し、チャンネル変更された再コード化されかつ再拡散されたサンプルを生成する。変更ステップは、第１のチャンネル推定値によって再コード化されかつ再拡散されたサンプルを乗算することを含み、チャンネルが変更された再コード化されかつ再拡散されたサンプルを生成する。コントローラ４１０は、チャンネル変更された再コード化されかつ再拡散されたサンプルを使用することによって受信されたサンプルの干渉消去を実行し、受信されたサンプルの新しいセットを生成する。受信されたサンプルの新しいセットはＲＡＭ４０４に格納されるかもしれない。サンプルからの消去成分が変更された再コード化されかつ再拡散されたサンプルに基づくので、結果としての受信されたサンプルの新しいセットは、その後の信号処理を正確で効率的に調整される。変更された再コード化されかつ再拡散されたサンプルは、消去処理のために振幅と位相に関して正確なサンプルを表す。そのような精度は、変更された再コード化されかつ再拡散されたサンプル発生の過程においてチャンネル推定値情報を含んでいることにより達成される。
【００２８】
反復処理の一部として受信された信号のその後の信号処理のために、フィンガー要素４０８と組み合わせた探索器４０６はパイロット信号サンプルの第２のセットに基づいた第２のチャンネル推定値を決定する。パイロットサンプルの第２のセットは受信されたサンプルの新しいセットに含まれる。受信されたサンプルの新しいセットがオリジナルの受信されたサンプルから少なくとも１つの消去されたコンポーネントを有するので、第２のチャンネル推定値を決定することは必要であるかもしれない。組み合わせにおけるフィンガー要素４０８、結合器 ４１２およびデコーダ４１４は、第２のチャンネル推定値に従って、新しい受信されたサンプルを相関およびデコードし、新しいデコードされた受信サンプルを生成する。コントローラ４１０は新しいデコードされた受信サンプルを再コード化および再拡散して、新しい再コード化されかつ再拡散されたサンプルを生成する。コントローラ４１０は第２のチャンネル推定値に基づく新しい再コード化および再拡散されたサンプルを変更して、新しいチャンネル変更された再コード化されかつ再拡散されたサンプルを生成する。変更の処理は新しい再コード化されかつ再拡散されたサンプルを第２のチャンネル推定値により乗算し、新しいチャンネル変更された再コード化されかつ再拡散されたサンプルを生成するこよを含む。コントローラ４１０は、新しいチャンネル変更された再コード化されかつ再拡散されたサンプルを使用して、受信されたサンプルの新しいセットの干渉消去を実行し、受信されたサンプルの他の新しいセットを生成する。サンプルから消去されたコンポーネントが新しい変更された再コード化されかつ再拡散されたサンプルに基づくので、結果として新たに発生された受信されたサンプルのセットはその後の信号処理を正確かつ効率的にするため調整される。新しい変更された再コード化されかつ再拡散されたサンプルは、消去処理のために振幅と位相に関して正確なサンプルを表す。そのような精度は、新しい変更された再コード化されかつ再拡散されたサンプルを発生させる過程で第２のチャンネル推定値情報を含むことにより達成される。反復の処理はそれが必要である回数だけ繰り返されるかもしれない。
【００２９】
デコード処理はターボデコード処理または畳込みデコード処理に従っているかもしれない。デコード処理がチャンネル上に起る都度、コントローラ４１０はデコード処理の結果に基づいた周期冗長検査が予定された評価基準を通過するか否かを決定するかもしれない。消去処理は周期冗長検査が通るか否かにより調整される。周期冗長検査が通らないなら、デコード結果は再コード化および再拡散、および消去処理のその後の使用のために適していないかもしれない。ターボデコード処理に従ってデコードする場合、１回の反復でデコードする結果は、消去処理の後に続くステップでデコード処理を補助することに使用されるかもしれない。
【００３０】
相関関係の処理が実行される都度、探索器４０６およびフィンガー要素４０８は、パイロットチャンネルの非コヒーレント復調を決定するために改めて始動し、タイミング仮定と位相オフセットをテストする。探索器４０６、またはフィンガー要素４０８、あるいは組み合わせにおける探索器４０６およびフィンガー要素４０８は各受信信号のために信号対干渉比率（Ｓ／Ｉ）を決定するかもしれない。各信号の干渉レベルは、いくつかのサンプルがステップ７０５で受信されたサンプルから引算されるたびに減少するかもしれない。そのようにして、Ｓ／Ｉは干渉消去処理７００が１回の反復を通過する毎に異なるかもしれない。比率Ｅｂ／Ｉは比率Ｓ／Ｉと同義であるかもしれない。比率Ｅｂ／Ｉはデータ符号またはデータビットの単位あたりの干渉上の信号エネルギーの測定値である。したがって、Ｓ／ＩとＥｂ／Ｉはある点で交換可能であるかもしれない。
【００３１】
ＭＳがＢＳから通信サービスを受けるために、ＭＳはいくつかの論理的な状態を通らなければならない。第１の状態は、通信リンクを設定するためにＢＳに登録するための初期のアクセス状態であるかもしれない。次の状態は、ＭＳが初期の登録を終了しＢＳとプロトコル交換するアイドル状態であるかもしれない。アイドル状態では、ＭＳはＭＳのユーザまたはＢＳのいずれかによりＢＳと通信リンクを立ち上げかつ開始するかもしれない。次の状態において、ＭＳは接続状態にあるかもしれない。接続状態では、ＭＳはデータを受け取るか、またはデータを受け取るために待機している。ＭＳとＢＳとの間で周期的な順方向および逆方向リンク通信がある。
【００３２】
干渉を制御するために、システムは各ＭＳから送信される信号レベル、または通信データレート、或は両方を制御する。一般に、各ＭＳはトラヒックチャンネルとパイロットチャンネルの両方を支持するために必要な逆方向リンクパワーレベルを決定する。通信システムでＭＳから送信される信号のパワーレベルを制御する種々のパワー制御計画は知られている。１つ以上の例が、ＴＩＡ／ＥＩＡ−ＩＳ−９５とＴＩＡ／ＥＩＡ−ＩＳ−２０００標準として別の方法で知られている、広帯域スペクトル拡散セルラシステムのための移動局−基地局互換性標準で説明され、ここに引用文献として組み込まれる。ＭＳの出力パワーレベルは２つの独立している制御ループ、開ループおよび閉ループによって制御される。開ループパワー制御はＢＳと適切な通信リンクを維持するため各ＭＳの必要性に基づく。したがって、ＢＳに近いＭＳはより遠いＭＳより少ないパワーを必要とする。ＭＳでの強い受信信号はＭＳとＢＳの間の伝播損失が少ないことを示し、その結果、弱い逆方向リンク送信パワーレベルを必要とする。開ループパワー制御において、パイロット、ページング、同期、およびトラヒックチャンネルのような少なくとも１つの受信チャンネルのＳ／Ｉの独立した測定値に基づいて、ＭＳは逆方向リンクの送信パワーレベルを設定する。ＭＳは逆方向リンクのパワーレベル設定に先立って独立した測定を行うかもしれない。
【００３３】
図８は実施例による例示的閉ループパワー制御方法のフローチャート８００を示す。閉ループパワー制御方法８００の動作は通信システム１００のＭＳがいったん順方向リンクトラヒックチャンネルを捕らえることで始まる。ＭＳによる最初のアクセス試みの後に、ＭＳは最初の逆方向チャンネルパワーレベルを設定する。逆方向リンクの最初のパワーレベル設定は閉ループパワーレベル制御８００を経て通信リンクの間に調整される。閉ループパワー制御８００は開ループ制御より速い応答時間で作動する。閉ループパワー制御８００は開ループパワー制御に修正を提供する。一実施例では、閉ループパワー制御８００は、トラヒックチャンネル通信リンクの間、開ループ制御と関連して作動し、大きいダイナミック範囲を有する逆方向リンクパワー制御を提供する。
【００３４】
閉ループ８００を通して移動局の逆方向リンク信号のパワーレベルを制御するために、ＢＳ １０１はステップ８０１で移動局から送信される逆方向リンク信号の信号対干渉比率（Ｓ／Ｉ）を測定する。測定されたＳ／Ｉがステップ８０２で設定点Ｓ／Ｉと比較される。測定されたＳ／Ｉが干渉上のビットエネルギーの比率であるＥｂ／Ｉの形であるかもしれず、その結果設定点は同じ形であるかもしれない。設定点は移動局のために選択される。設定点は初めに移動局によって開ループパワー設定に基づいているかもしれない。
【００３５】
測定されたＳ／Ｉが設定点よりも高いなら、ステップ８０３で、ＢＳ １０１は移動局に例えば１ｄＢの量だけその逆方向リンク信号のパワーレベルをパワーダウンするように命令する。測定されたＳ／Ｉが設定点よりも高いとき、それは移動局が適切な逆方向リンク通信を維持するのに必要であるよりも高い信号パワーレベルで逆方向リンクに送信していることを示す。その結果、移動局は全体のシステム干渉を抑えるためにその逆方向リンクの信号パワーレベルを下げように命令する。測定されたＳ／Ｉが設定点よりも低いならば、ステップ８０４で、ＢＳ １０１は例えば１ｄＢの量だけその逆方向リンク信号のパワーレベルをパワーアップするように移動局に命令する。測定されたＳ／Ｉが設定点よりも低いとき、それは移動局が適切な逆方向リンク通信を維持するのに必要であるよりも低い信号パワーレベルで逆方向リンクに送信していることを示す。パワーレベルを増加させる結果として、移動局は干渉レベルに打ち勝って、適切な逆方向リンク通信を提供することができる。
【００３６】
ステップ８０２−８０４で実行される動作は内側ループのパワー制御と呼ばれるかもしれない。内側ループのパワー制御はＢＳ１０１における逆方向リンク（Ｓ／Ｉ）を設定点によって提供される目標閾値にできるだけ近づくように保つ。目標Ｓ／Ｉは移動局のために選択される設定点に基づく。パワーアップまたはパワーダウンは時間フレームの間、数回実行されるかもしれない。一実施例では、１つの時間フレームが１６のパワー制御グループに分割されるかもしれない。各パワー制御グループはいくつかのデータ符号から成る。パワーアップまたはパワーダウンの命令はフレーム毎に１６回送信されるかもしれない。データの１つのフレームがステップ８０５に受け取られなかったならば、パワー制御ループ８００はステップ８０１で次のパワー制御グループの間逆方向リンク信号のＳ／Ｉを測定し続ける。処理はステップ８０２−８０４で繰り返される。
【００３７】
単一の設定点か目標ではすべての状態において満足できないかもしれない。したがって、ステップ８０２で使用される設定点は所望の逆方向リンクフレーム誤り率によって変化するかもしれない。データの１つのフレームがステップ８０５で受け取られたならば、新しいＳ／Ｉ設定点がステップ８０６で計算されるかもしれない。新しい設定点は移動局のための新しいＳ／Ｉになる。新しい設定点はフレーム誤り率を含む多くの要素に基づくかもしれない。例えば、フレーム誤り率が容認できないフレーム誤り率を示している予定されたレベルを超えているならば、設定点はより高いレベルに上げられるかもしれない。設定点をより高いレベルへ上げることによって、移動局はステップ８０２での比較とステップ８０４でのパワーアップ命令を通して、その逆方向リンク送信パワーレベルを結果として増加させる。フレーム誤り率が許容できるフレーム誤り率より上で示される予定されたレベルの下にあるならば、設定点は下側のレベルに下げられるかもしれない。設定点を下側のレベルへ下げることによって、移動局はステップ８０２での比較およびステップ８０３でのパワーダウン命令を通して、その逆方向リンク送信パワーレベルを結果として減少させる。ステップ８０５−８０６で実行される動作、および新しいフレームのＳ／Ｉを測定するためにステップ８０１にループバックする動作は外側ループ動作として見られるかもしれない。外側ループパワー制御は全てのフレームに一度命令され、閉ループパワー制御は全てのパワー制御グループに一度命令されるかもしれない。１フレームおよび１パワー制御グループは、一実施例によると、それぞれ２０および１．２５ｍｓｅｃ長であるかもしれない。
【００３８】
システムはまた、干渉を抑えるのに順方向リンクパワー制御計画を採用するかもしれない。ＭＳは音声とデータ品質に関してＢＳと定期的に通信する。フレーム誤り率と品質の測定値はパワー測定レポートメッセージを通してＢＳに報告される。メッセージは間隔の間、逆方向リンク上に間違って受け取られたフレームの数を含んでいる。順方向リンク信号のパワーレベルはフレーム誤りの数に基づいて調整される。そのような品質の測定フィードバックがフレーム誤り率に基づいているので、順方向リンクパワー制御は逆方向リンクパワー制御よりはるかに遅い。速い応答のため、逆方向リンク消去ビットは前のフレームが誤りを有して、あるいは誤りなく受け取られたかどうかをＢＳに知らせるのに使用されるかもしれない。チャンネルパワー利得は、順方向リンクパワーレベルを制御する方法としてメッセージか消去ビットを監視している間、絶え間なく調整されるかもしれない。
【００３９】
データの通信に関しては、ＭＳのために目標とされる有効な順方向リンクデータレートを調整している間、順方向リンクはＭＳに固定パワーレベルで送信されるかもしれない。全体的なシステムとして見られると、順方向リンクにおけるデータレート調整は干渉制御の形である。順方向リンクパワー制御が一般にカバー領域における干渉を制御するものであることに注意を要す。フィードバック品質測定が乏しい受信を示しているとき、データレートはパワーレベルを一定に保っている間に下げられ、干渉の影響を克服するかもしれない。データレートはまた、より高いデータレートで順方向リンク通信を受信するため他の端末を許容するように下げられるかもしれない。
【００４０】
ここに引用文献として組み込まれた、少なくとも１つのＣＤＭＡスペクトル拡散システム標準にしたがって、開ループおよび閉ループのパワー制御計画の付加において、ＭＳは標準によって指定される符号チャンネルの属性で出力パワーレベルを調整する。ＣＤＭＡ−２０００では、ＭＳは高められたアクセスチャンネルヘッダ、高められたアクセスチャンネルデータ、および逆方向パイロットチャンネルの出力パワーレベルに比例して逆方向の共通の制御チャンネルデータの出力パワーを設定する。逆方向パイロットチャンネルの出力パワーレベルは開および閉ループのパワー制御によって設定される。ＭＳは符号チャンネルパワーレベルと逆方向パイロットチャンネルパワーレベルとの間のパワーレベル比率を維持する。比率は符号チャンネルで使用されるデータレートによって定義されるかもしれない。一般に、表が異なるデータレートにおける比率の値を提供する。一般に、比率は高いデータレートのために増加する。また、１に等しい比率も可能であるかもしれない。１に等しい比率では、パワー制御ループ８００によって設定されるパイロットチャンネルのパワーレベルは符号チャンネルのパワーレベルと等しいかもしれない。トラヒックチャンネルのデータの送信の間、データレートとトラヒックチャンネルパワーレベルは調整されるかもしれない。パワーレベルは逆方向リンクのパイロットの相対的なパワーに基づいて選択されるかもしれない。いったん許容できるデータレートが選択されると、逆方向リンクパイロットパワーレベルに関する対応するチャンネル利得は、トラヒックチャンネルパワーレベルを設定するのに使用される。
【００４１】
データモードにおいて、ＢＳは異なるデータレートで多くのＭＳに通信リンクを供給しているかもしれない。例えば、順方向リンク接続状態の１つのＭＳは低いデータレートでデータを受信し、他のＭＳは高いデータレートで受信するかもしれない。逆方向リンク上では、ＢＳは異なるＭＳから多くの逆方向リンク信号を受信しているかもしれない。独立した測定に基づくＭＳはＢＳから所望のデータレートを決めて、要求するかもしれない。一実施例では、所望の順方向リンクデータレートはデータレート制御（ＤＲＣ）チャンネルを通してＢＳに通信される。ＢＳは要求されたデータレートで順方向リンクデータ転送を提供することを試みる。逆方向リンク上では、ＭＳは多くの可能な逆方向リンクデータレートから逆方向リンクデータレートを自主的に選択するかもしれない。一実施例では、選択されたデータレートは逆方向レートインディケータチャンネルを通してＢＳに通信されるかもしれない。また、各ＭＳは予定されたサービスの程度に制限されるかもしれない。サービスの程度は順方向および／又は逆方向リンクの最大の利用可能なデータレートを制限するかもしれない。
【００４２】
高いデータレートでのデータの通信は、低いデータレートよりもより大きな送信／受信信号パワーレベルを取る。順方向および逆方向リンクは音声通信の場合に同様のデータレート活動度を持っているかもしれない。音声情報の周波数スペクトルが制限されるので、順方向および逆方向リンクデータレートは低いデータレートに制限されるかもしれない。可能な音声データレートは一般的に知られており、ここに引用文献として組み込まれたＩＳ−９５およびＩＳ−２０００のような符号分割多重接続（ＣＤＭＡ）通信システム標準で記述される。しかしながら、データ通信については、順方向および逆方向リンクは同様のデータレートを持たないかもしれない。例えば、ＭＳはデータベースからの大きいデータファイルを検索しているかもしれない。そのような場合では、順方向リンクの通信はデータパケットの送信のために支配的に占有される。順方向リンク上のデータレートは２．５Ｍｂｐｓに達するかもしれない。一実施例では、順方向リンク上のデータレートはＭＳによってなされるデータレート要求に基づくかもしれない。一実施例では、逆方向リンク上のデータレートは低く、４．８から１５３．６Ｋｂｐｓの範囲にされるかもしれない。
【００４３】
一実施例において、閉ループパワー制御８００の動作は、ステップ８０６で新しい設定点を決定することを含む。新しい設定点の決定は逆方向リンク通信のフレーム誤り率に一部基づくかもしれない。図４および７に例証されるように、情報をデコードする、したがってフレーム誤り率を決定する処理は信号の干渉消去を含むかもしれない。例えば、ステップ７０２でデコードした後、ステップ７０６および７０７で相関関係およびデコードが繰り返される前に、ある信号がステップ７０５で信号のサンプルから消去される。ステップ７０７でのデコードが満足できるならば、ステップ７０５で実行される干渉消去を繰り返す必要はない。デコードされたデータは次に各逆方向リンク通信のさらなる処理のために使用される。ステップ７０７の後にさらなる干渉消去が実行されないならば、各逆方向リンク信号のフレーム誤り率はステップ７０７のデコード結果に基づいて決定される。各逆方向リンクチャンネルのためのフレーム誤り率は、各対応する逆方向リンク閉ループパワー制御反復の新しい設定点を決定するために図８のステップ８０６で使用されるかもしれない。
【００４４】
図９は一実施例による新しい設定点を決定するためのフローチャート９００を示す。フローチャート９００によって示される方法は図８の閉ループパワー制御８００のステップ８０６で使用されるかもしれない。ステップ９０１で方法は、干渉消去が行われたかどうかを決定することを含んでいる。通常、図７の例示的実施例にしたがって示されたデコード処理がステップ７０５で示された干渉消去を含まないなら、新しい設定点はフレーム誤り率に基づいて決定される。フレーム誤り率が増加しているならば、設定点はステップ９０２で、例えば、１ｄＢのような予定された量だけ増加される。フレーム誤り率が減少しているならば、設定点はステップ９０２で、例えば、１ｄＢのような予定された量だけ減少される。図７の例示的実施例に従って示されたデコード処理がステップ７０５で示されたそれらのような干渉消去を含むならば、新しい設定点は消去処理の前後の信号のフレーム誤り率とＳ／Ｉに基づいて決定される。ステップ９０３では、干渉消去の前の信号のＳ／Ｉが測定される。ステップ９０４では、干渉消去の後の信号のＳ／Ｉが測定される。Ｓ／Ｉ測定は図４で示された受信器４００の例示的実施例によって実行されるかもしれない。探索器４０６、フィンガー要素４０８、およびことによると結合器 ４１２の動作はステップ７０５の干渉消去の処理の前後に受信された信号のＳ／Ｉを決定するために使用されているかもしれない。デコード演算はデコーダ４１４によって実行されるかもしれない。デコードステップ７０２がデコーダ４１４によって実行された後に、何らかの干渉消去が、例えば、ＣＲＣ情報に基づいて決められるならば、デコーダ４１４は制御システム４１０および関連回路と接続されたサンプルＲＡＭ４０４に信号を出し、干渉消去の処理を実行する。この点において、探索器４０６、フィンガー要素４０８、およびことによると結合器 ４１２は消去の処理の前後の信号のＳ／Ｉを決定する。干渉消去の処理の後に、デコードステップ７０７で決定されたＳ／Ｉはことによると新しいパラメタに基づく。新しいパラメタは消去ステップの後にＳ／Ｉを決定するための探索器４０６、フィンガー要素４０８、およびことによると結合器 ４１２によって使用される。ステップ７０５で実行される干渉消去が信号Ｓ／１を変更したかもしれないので、新しいパラメタが使用される。
【００４５】
ステップ９０５では、干渉消去の処理の前後の信号の差（デルタ値） Ｓ／Ｉが決定される。ここに、デルタ値は閉ループのパワー制御のために新しい設定点を決定するため組み込まれるべきステップ９０２に提供される。新しい設定点は、フレーム誤り率に基づいて計算された設定点からデルタ値を引算することによって計算されるかもしれない。新しい設定点は図８のステップ８０２に供給され、次のフレームのパワーアップおよびパワーダウン命令を決定するために使用される。干渉消去の処理に基づいたＳ／Ｉの使用は、通信システムのユーザによって経験された全体的な干渉を最小にするためのパワーアップおよびパワーダウン命令の信頼性を少なくとも１つの点で向上する。
【００４６】
好ましい実施例の前の記述は、技術に熟練したどんな人も本発明を作りまたは使用することを可能にするように提供される。これらの実施例に対する様々な変更は技術に熟練した者に容易に明らかであり、ここに定義された一般的な原理は発明の才能の使用なしに他の実施例に適用されるかもしれない。したがって、本発明はここに示された実施例に限定されることを意図されず、ここに開示された原理と新規な特徴からなる最も広い範囲と一致されるべきである。
【図面の簡単な説明】
【図１】通信システムの一般的なブロックダイアグラムを示す。
【図２】送信器の一般的なブロックダイアグラムを示す。
【図３】図２の送信器で使用されるかもしれないウォルシュカバー／拡散モジュールのブロックダイアグラムを示す。
【図４】受信器のブロックダイアグラムを示す。
【図５】例示的ターボエンコーダのブロックダイアグラムを示す。
【図６】従来のターボデコーダのブロックダイアグラムを示す。
【図７】受信器で干渉消去の作動フローチャートを示す。
【図８】例示的閉ループのパワー制御に関するフローチャートを示す。
【図９】閉ループのパワー制御で使用されるべき新しい設定点を決定するためのフローチャートを示す。
【図１】
2004514318.tif 000003
【図２】
2004514318.tif 000004
【図３】
2004514318.tif 000005
【図４】
2004514318.tif 000006
【図５】
2004514318.tif 000007
【図６】
2004514318.tif 000008
【図７】
2004514318.tif 000009
【図８】
2004514318.tif 000010
【図９】
2004514318.tif 000011
【国際公開パンフレット】
2004514318.tif 000012
2004514318.tif 000013
2004514318.tif 000014
2004514318.tif 000015
2004514318.tif 000016
2004514318.tif 000017
2004514318.tif 000018
2004514318.tif 000019
2004514318.tif 000020
2004514318.tif 000021
2004514318.tif 000022
2004514318.tif 000023
2004514318.tif 000024
2004514318.tif 000025
2004514318.tif 000026
2004514318.tif 000027
2004514318.tif 000028
2004514318.tif 000029
2004514318.tif 000030
2004514318.tif 000031
2004514318.tif 000032
2004514318.tif 000033
2004514318.tif 000034
2004514318.tif 000035
2004514318.tif 000036
2004514318.tif 000037
2004514318.tif 000038
2004514318.tif 000039
2004514318.tif 000040
2004514318.tif 000041
2004514318.tif 000042
2004514318.tif 000043
2004514318.tif 000044
2004514318.tif 000045
2004514318.tif 000046
2004514318.tif 000047
2004514318.tif 000048
2004514318.tif 000049
2004514318.tif 000050
2004514318.tif 000051
2004514318.tif 000052
2004514318.tif 000053
2004514318.tif 000054
2004514318.tif 000055
【国際調査報告】
2004514318.tif 000056
2004514318.tif 000057
2004514318.tif 000058